(57)【要約】【課題】ロック機構付きバックルにおいて、バックル締結時には特別な操作を要することなく必ずバックル解放を禁止するロック状態になって安全性に優れ、しかもバックル締結、バックル解放の双方の操作性を優れたものにすること。【解決手段】ロック位置とロック解除位置との間に移動する操作部材７０と、操作部材７０に、当該操作部材７０がロック解除位置にあることを条件に係合爪５６を係合部３０との逆止係合より離脱させるリリース部材８０とを設ける。【選択図】図２
2010213936.tif 000002
【特許請求の範囲】
【請求項１】
互いに連結、分離可能な雄部材と雌部材とを有するバックルであって、
前記雌部材は、係合部を有しバックル締結すべき二つの部材のうちの一方の部材と連結され、
雄部材は、前記係合部に係脱可能に逆止係合する係合爪部を形成された係合片を有しバックル締結すべき二つの部材のうちの他方の部材と連結される係合部材と、前記係合部材に前記雌部材との連結・分離方向に移動可能に設けられて前記係合爪が前記係合部との逆止係合より離脱することを禁止するロック位置と当該前記ロック位置より前記雌部材に対する連結方向に前記係合部材に対して相対移動することにより前記係合爪が前記係合部との逆止係合より離脱することを許すロック解除位置との間に移動する操作部材と、前記操作部材を前記係合部材に対して前記ロック位置へ付勢する第１の付勢手段と、操作部材に前記雌部材との連結・分離方向に移動可能に設けられ前記連結方向と同方向に前記操作部材に対して相対移動することにより、前記操作部材が前記ロック解除位置にあることを条件に前記係合爪を前記係合部との逆止係合より離脱させるリリース部材と、前記リリース部材を前記操作部材に対して前記連結方向とは反対の方向に付勢する第２の付勢手段とを有する、バックル。
【請求項２】
前記操作部材は、前記ロック位置に位置することにより前記係合片と当接して前記係合爪が前記係合部との逆止係合より離脱する方向へ変位することを阻止する離脱阻止部を有する請求項１に記載のバックル。
【請求項３】
リリース部材は、前記操作部材に対して前記連結方向と同方向に相対移動することにより、前記操作部材が前記ロック解除位置にあれば、前記係合片に当接して前記係合爪を前記係合部との逆止係合より離脱する方向へ変位させる当接部を有する請求項１または２に記載のバックル。
【請求項４】
前記雌部材に、連結状態の前記雄部材を分離方向に付勢するエジェクト部材が設けられている請求項１から３の何れか一項に記載のバックル。
【発明の詳細な説明】
【技術分野】
【０００１】
本発明は、バックルに関し、特に、誤解放防止のロック機構を具備したバックルに関するものである。
【背景技術】
【０００２】
係合爪を有する雄部材と、前記雄部材が挿入される挿入孔と前記係合爪が逆止係合する係合部とを有する雌部材とにより構成された逆止係合式のバックルにおいて、誤解放防止のロック機構を具備したバックルが知られている（例えば、特許文献１）。
【０００３】
このバックルは、係合爪が係合部との逆止係合より離脱することを禁止するロック位置と、係合爪が係合部との逆止係合より離脱することを許すロック解除位置との間に移動可能なロック部材を雌部材に有する。このバックルにおいて、ロック状態にあるバックルを解放（分離）する場合には、まず、ロック部材をロック位置よりロック解除位置に移動させてロック解除を行い、その後、係合爪を操作して当該係合爪を係合部との逆止係合より離脱させる。
【０００４】
ロック機構付きのバックルではないが、係合爪を係合部との逆止係合より離脱させる操作を、雌部材に設けられたリリーススライダのスライド動作やリリースボタンのプッシュ操作により行えるようにしたバックルは知られている（例えば、特許文献２、３）。
【先行技術文献】
【特許文献】
【０００５】
【特許文献１】特許第３００７１６７号公報
【特許文献２】特許第３７８０４９７号公報
【特許文献３】特許第４１４３９２８号公報
【発明の概要】
【発明が解決しようとする課題】
【０００６】
従来のロック機構付きのバックルは、ロック部材を移動させる操作と、係合爪を係合部との逆止係合より離脱させる操作とを行わなくてはならず、しかも、バックル締結に伴ってロック機構が自ずとロック状態になるオートロック式のものでないため、ロック操作を忘れると、ロック機構による誤解放防止が有効に機能しない。
【０００７】
リリーススライダやリリースボタンによってバックルを解放するものは、バックル解放の操作性が向上するものの、その反面、リリーススライダやリリースボタンに物が当たるなどして、不用意にバックルが解放される虞が増大する。
【０００８】
本発明が解決しようとする課題は、ロック機構付きバックルにおいて、バックル締結時には特別な操作を要することなく必ずバックル解放を禁止するロック状態になって安全性に優れ、しかもバックル締結、バックル解放の双方の操作性を優れたものにすることである。
【課題を解決するための手段】
【０００９】
本発明によるバックルは、互いに連結、分離可能な雄部材と雌部材とを有するバックルであって、前記雌部材は、係合部を有しバックル締結すべき二つの部材のうちの一方の部材と連結され、雄部材は、前記係合部に係脱可能に逆止係合する係合爪部を形成された係合片を有しバックル締結すべき二つの部材のうちの他方の部材と連結される係合部材と、前記係合部材に前記雌部材との連結・分離方向に移動可能に設けられて前記係合爪が前記係合部との逆止係合より離脱することを禁止するロック位置と当該前記ロック位置より前記雌部材に対する連結方向に前記係合部材に対して相対移動することにより前記係合爪が前記係合部との逆止係合より離脱することを許すロック解除位置との間に移動する操作部材と、前記操作部材を前記係合部材に対して前記ロック位置へ付勢する第１の付勢手段と、操作部材に前記雌部材との連結・分離方向に移動可能に設けられ前記連結方向と同方向に前記操作部材に対して相対移動することにより、前記操作部材が前記ロック解除位置にあることを条件に前記係合爪を前記係合部との逆止係合より離脱させるリリース部材と、前記リリース部材を前記操作部材に対して前記連結方向とは反対の方向に付勢する第２の付勢手段とを有する。
【００１０】
本発明によるバックルは、好ましくは、前記操作部材は、前記ロック位置に位置することにより前記係合片と当接して前記係合爪が前記係合部との逆止係合より離脱する方向へ変位することを阻止する離脱阻止部を有する。
【００１１】
本発明によるバックルは、好ましくは、リリース部材は、前記操作部材に対して前記連結方向と同方向に相対移動することにより、前記操作部材が前記ロック解除位置にあれば、前記係合片に当接して前記係合爪を前記係合部との逆止係合より離脱する方向へ変位させる当接部を有する。
【００１２】
本発明によるバックルは、好ましくは、前記雌部材に、連結状態の前記雄部材を分離方向に付勢するエジェクト部材が設けられている互いに連結、分離可能な雄部材と雌部材とを有する。
【発明の効果】
【００１３】
本発明によるバックルによれば、操作部材を片手で掴んで、操作部材を雌部材との連結方向に動かすことにより、まず操作部材が第一の付勢手段の付勢力に抗して係合部材に対して相対移動してロック解除位置し、更に操作部材を同方向に動かすことにより、係合部材の係合爪が雌部材の係合部に逆止係合する。この後に、操作部材を手放すと、第一の付勢手段の付勢力によって操作部材がロック位置に位置する。これにより、誤解放防止のロック状態によるバックル締結（連結)が得られる。
【００１４】
バックルを解放（分離）する場合には、操作部材を片手で掴んで、操作部材を第一の付勢手段の付勢力に抗して係合部材に対して前記連結方向と同方向に動かしてロック解除位置に移動させると共に、リリース部材を第２の付勢手段の付勢力に抗して前記連結方向と同方向に操作部材に対して動かすことにより、係合爪が係合部との逆止係合より離脱する。これにより、バックルが解放（分離）される。
【００１５】
このように、バックル締結時には、特別な操作を要することなく必ずバックル解放を禁止するロック状態が得られ、安全性が向上する。その上で、バックル締結、バックル解放の双方の操作性も悪化することがなく、優れたものになる。
【図面の簡単な説明】
【００１６】
【図１】本発明によるバックルの一つの実施例を示す斜視図。
【図２】本実施例によるバックルの分解斜視図。
【図３】本実施例によるバックルの縦断面図（図１の線ＩＩＩ−ＩＩＩによる断面図相当）。
【図４】本実施例によるバックルの係合部材部分の平断面（図３の線ＩＶ−ＩＶによる断面図相当）。
【図５】本実施例によるバックルのリリース部材部分の平断面図（図３の線Ｖ−Ｖによる断面図相当）。
【図６】本実施例によるバックルの挿入前解放状態を示す平断面図。
【図７】本実施例によるバックルの挿入状態を示す平断面図。
【図８】本実施例によるバックルの操作部材最大押込み状態を示す平断面図。
【図９】本実施例によるバックルの締結状態を示す平断面図。
【図１０】本実施例によるバックルのリリース部材操作状態を示す平断面図。
【図１１】本実施例によるバックルの操作部材押込み状態を示す平断面図。
【図１２】本実施例によるバックルのロック解除状態を示す平断面図。
【発明を実施するための形態】
【００１７】
この発明によるバックルの一つの実施例を、図１〜図５を参照して説明する。
【００１８】
本実施例によるバックル１０は、雌部材２０と雄部材５０とを有する抜き差し連結・分離式のものであり、例えば、自動車のリアシートのラゲージスペースにフラットに格納した際に、リアシートをラゲージスペース部分に固定するために用いられる高負荷対応のものであり、雌部材２０はバックル締結すべき二つの部材のうちの一方の部材をなすランゲージスペース部分（車体）に取り付けられ、雄部材５０はバックル締結すべき二つの部材のうちの他方の部材をなすシート側ストラップ（ベルト）の先端に連結される。
【００１９】
雌部材２０と雄部材５０は、ばね部材以外、各々各部を所要の機械的強度を有する合成樹脂による成形品により構成されている。
【００２０】
雌部材２０は、四角筒状のものであり、後述する雄部材５０の係合部材５２を抜き差し可能に受け入れる中空部（挿入孔）２２を画定している。中空部２２の前部は前方に開口した差込み口２４になっている。中空部２２の後部は後部壁２６によって閉じられている。後部壁２６の外側には雌部材２０を車体側の取付部Ａ（図４参照)に枢動可能に連結するためのブラケット２８が突出成形されている。
【００２１】
雌部材２０の左右側壁３２には四角開口による係合部３０が貫通成形されている。係合部３０は、中空部２２の深さ方向（雌部材２０と雄部材５０の連結・分離方向と同じ方向）で見て、比較的差込み口２４に近い位置にある。
【００２２】
後部壁２６の内側中央には中空部２２内に突出した支持棒部３６が成形されている。支持棒部３６にはエジェクト部材３８が中空部２２の深さ方向に移動可能に取り付けられている。エジェクト部材３８は圧縮コイルばね４０によって差込み口２４の側（エジェクト方向）に付勢されている。エジェクト部材３８のエジェクト方向の移動は、雌部材２０の天井壁部４２に形成されたスリット４４にエジェクト部材３８のストッパ突起３８ａが係合していることにより抜け止め制限されている。
【００２３】
雌部材２０の天井壁部４２には、後述する雄部材５０の抜き差し案内を行う案内凹部４６が成形されている。
【００２４】
雄部材５０は、係合部材５２と、操作部材７０と、リリース部材８０との組立体により構成されている。
【００２５】
係合部材５２は基部５２ａを有し、基部５２ａにはシート側ストラップ（ベルト）Ｂの先端に連結されるベルト連結部６４が成形されている。
【００２６】
係合部材５２は、基部５２ａより前方に突出した左右２本の係合片５４を一体成形されている。左右の係合片５４は、各々、片持ち梁構造であることにより、弾性変形によって左右方向に変位可能になっている。この左右の係合片５４の各々の先端部には、左右外側に突出した逆止形状の係合爪５６が一体成形されている。係合爪５６は、係合部材５２が雌部材２０の中空部２２内に挿入されることにより、係合部３０に嵌り込むようにして係脱可能に逆止係合する。
【００２７】
また、左右の係合片５４の各々の先端部より所定量、基部５２ａ側に変位した部位には、左右外側に突出したリリース用傾斜カム部５８が一体成形されている。
【００２８】
係合部材５２には基部５２ａの左右中央部より前方に突出した中央片６０が一体成形されている。中央片６０の先端上部には突出部６２が形成されている。突出部６２は、雌部材２０に対する雄部材５０の抜き差し時に、雌部材２０の案内凹部４６に係合し、雄部材５０の抜き差し案内を行う。中央片６０の先端は、雌部材２０と雄部材５０の連結状態時に、エジェクト部材３８と当接し、エジェクタ作用（力）を受ける。
【００２９】
操作部材７０は、四角筒状のもので、外側に手操作用のグリップ部７２を成形されている。操作部材７０の中空部７４は、雌部材２０との連結側とは反対の側を上下隔壁７５（図３参照)によって上下２段に区分されている。上下隔壁７５より下側の中空部７４には、係合部材５２が雌部材２０との連結・分離方向と同じ方向に移動可能に設けられている。
【００３０】
操作部材７０の底部前側（雌部材２０との連結側）には離脱阻止突起部７６が突出成形されている。離脱阻止突起部７６は、２個設けられていて、係合部材５２の中央片６０の両側に左右の係合片５４との間に画定される間隙６１に入り込んでいる。
【００３１】
間隙６１は、係合片５４の先端側においては、係合片５４の先端部の左右内側に突出成形されたロック用突出部５７によって左右幅が根元側に比して狭くなっていて、離脱阻止突起部７６が隙間なく嵌り込む左右幅になっている。図１、図４に示されているように、離脱阻止突起部７６が、雌部材２０と雄部材５０の連結・分離方向で見て、ロック用突出部５７に対応する位置にある場合には、係合片５４が中央片６０側へ弾性変形できなくなり、係合爪５６が係合部３０と逆止係合している状態では、係合爪５６が係合部３０との逆止係合より離脱できない状態になる。
【００３２】
このように、離脱阻止突起部７６が係合部材５２に対してロック用突出部５７に対応する位置が、ロック位置である。このロック位置より操作部材７０が係合部材５２に対して雌部材２０に対する雄部材５０の連結方向（前進方向）に相対移動すると、離脱阻止突起部７６が間隙６１より前方に抜け出すことにより、係合片５４が中央片６０側へ弾性変形することを自由に許する。この移動位置が、係合爪５６が係合部３０との逆止係合より離脱することを許すロック解除位置である。
【００３３】
操作部材７０の後端部と係合部材５２に形成されたばる受け部５５との間には圧縮コイルばね（第１の付勢手段）６８が設けられている。圧縮コイルばね６８は、操作部材７０を係合部材５２に対して上述のロック位置へ付勢している。
【００３４】
リリース部材８０は、上下隔壁７５より上側の中空部７４内に、雌部材２０と雄部材５０との連結・分離方向と同じ方向に移動可能に設けられたリリースボタン部材８２と、リリースボタン部材８２の前側（雌部材２０との連結側）に連結爪８４によって一体連結されたスライド部材８６とにより構成されている。スライド部材８６は、リリース用傾斜カム部５８と当接可能なリリース作用部（当接部）８８を有しており、操作部材７０に対する前進移動（雌部材２０に対する雄部材５０の連結方向）の移動により、リリース用傾斜カム部５８との係合関係のもとに、左右の係合片５４を左右内側に弾性変形させ、操作部材７０が上述のロック解除位置にあることを条件に、係合爪５６を係合部３０との逆止係合より離脱させる。
【００３５】
リリース部材８０の後部と上下隔壁７５の前部に形成されたばね受け部７７（図３参照)との間には圧縮コイルばね（第２の付勢手段）９０が取り付けられている。圧縮コイルばね９０はリリース部材８０を操作部材７０に対して後方（雌部材２０に対する雄部材５０の連結方向とは反対の方向）に付勢している。圧縮コイルばね９０のばね力は、圧縮コイルばねのばね力より強い。これにより、自由状態では、図３に示されているように、圧縮コイルばね９０のばね力によってスライド部材８６が上下隔壁７５の前端に衝突する位置にリリース部材８０が位置し、圧縮コイルばね６８のばね力によって係合部材５２のばね受け部５５の前面がリリース作用部８８の背面に当接する位置に係合部材５２が位置する。リリース部材８０は、この位置において、図１に示されているように、リリースボタン部材８２が操作部材７０の後部に形成された円弧切欠部７１より外部に露呈し、指先で操作できるようになっている。
【００３６】
次に、本実施例によるバックル１０の連結・分離作用について、図６〜図１２を参照して説明する。
【００３７】
図６は、挿入前解放状態を示している。バックル１０の連結時、つまりバックル締結時には、操作部材７０のグリップ部７２を片手で掴んで、操作部材７０を雌部材２０との連結方向（図６で見て左方）に動かす。これにより、図７に示されているように、操作部材７０が、圧縮コイルばね６８のばね力に抗して係合部材５２に対して前方へ相対移動し、離脱阻止突起部７６が間隙６１より前方に抜け出し、操作部材７０がロック解除位置に位置する。
【００３８】
そして、係合部材５２の係合片５４が左右内側に弾性変形して係合片５４の先端側が雌部材２０の中空部２２内に入り、図８に示されているように、係合片５４の係合爪５６が雌部材２０の係合部３０に入り込んで逆止係合する。この状態では、雌部材２０の係合部３０より前側（図８で見て左側）が係合部３０とリリース用傾斜カム部５８によって挟まれることにより、係合部材５２は雌部材２０に対してバックル１０の連結・分離方向に移動できない状態になる。また、中央片６０の先端によってエジェクト部材３８が圧縮コイルばね４０のばね力に抗して後退する。
【００３９】
その後、操作部材７０を手放すと、図９に示されているように、圧縮コイルばね６８によって操作部材７０が係合部材５２に対して後方へ相対移動することにより、離脱阻止突起部７６が間隙６１内に入り込み、操作部材７０がロック位置に位置する。
【００４０】
これにより、特別なロック操作を必要とすることなく、必然的に誤解放防止のロック状態によるバックル締結（連結)が得られる。
【００４１】
バックル１０を解放（分離）する場合には、操作部材７０を片手で掴んで、図１０に示されているように、リリースボタン部材８２を押してリリース部材８０を圧縮コイルばね６８のばね力に抗して前進移動（図１０で見て左方への移動）させる共に、図１１に示されているように、操作部材７０を圧縮コイルばね６８のばね力に抗して同方向に前進移動させる。これにより、離脱阻止突起部７６が間隙６１より前方に抜け出し、操作部材７０がロック解除位置に位置する。
【００４２】
リリースボタン部材８２を押した状態のまま、これにより更に、リリース部材８０を圧縮コイルばね６８のばね力に抗して前進移動させると、図１２に示されているように、リリース部材８０のリリース作用部８８が係合部材５２のリリース用傾斜カム部５８に当接し、係合片５４が左右内側に弾性変形し、係合爪５６が係合部３０との逆止係合より離脱する。この状態になると、エジェクト部材３８によって係合部材５２が雌部材２０の中空部２２より外方（図１２で見て右方）へ押し出される。これにより、バックル１０が解放（分離）される。
【００４３】
なお、係合部材５２に連結されるシート側ストラップＢがゴム製で、バックル締結時に、シート側ストラップＢが伸長する場合には、エジェクト部材３８は必ずしも必要でない。
【００４４】
上述したように、バックル締結時には、特別な操作を要することなく必ずバックル解放を禁止するロック状態が得られるから、安全性が向上する。その上で、バックル締結、バックル解放の双方を片手操作で、操作性よく行うことができる。
【符号の説明】
【００４５】
１０  バックル
２０  雌部材
２２  中空部
３０  係合部
３８  エジェクト部材
５０  雄部材
５２  係合部材
５４  係合片
５６  係合爪
５８  リリース用傾斜カム部
６８  圧縮コイルばね（第１の付勢手段）
７０  操作部材
７６  離脱阻止突起部
８０  リリース部材
８２  リリースボタン部材
８６  スライド部材
８８  リリース作用部（当接部）
９０  圧縮コイルばね（第２の付勢手段）
【図１】
2010213936.tif 000003
【図２】
2010213936.tif 000004
【図３】
2010213936.tif 000005
【図４】
2010213936.tif 000006
【図５】
2010213936.tif 000007
【図６】
2010213936.tif 000008
【図７】
2010213936.tif 000009
【図８】
2010213936.tif 000010
【図９】
2010213936.tif 000011
【図１０】
2010213936.tif 000012
【図１１】
2010213936.tif 000013
【図１２】
2010213936.tif 000014